(57)【要約】【課題】着脱操作が容易に行えながら、小型化を図り得るガスソケットを提供する。【解決手段】先端開口部１ａを有し、当該先端開口部１ａにガス栓本体のプラグ部１２を挿入させた状態でガス栓本体に装着されるソケット本体１と、当該ソケット本体１に着脱自在に装着され、当該ソケット本体１に装着された状態で先端開口部１ａを閉じる蓋体２とを備えたガスソケットであって、蓋体２が、蓋体支持機構Ｍにより、先端開口部１ａを閉じることが可能な開閉操作位置と、ソケット本体１におけるソケット前後方向において先端開口部１ａとは反対側の後端よりも後方側の着脱操作位置とに位置変更操作自在に、ソケット本体１に支持され、蓋体支持機構Ｍが、蓋体２を着脱操作位置に位置させるように操作された状態において、ソケット前後方向でのソケット本体１と蓋体２との相対移動を制限するように構成されている。【選択図】図１
2015017676.tif 000002
【特許請求の範囲】
【請求項１】
先端開口部を有し、当該先端開口部にガス栓本体のプラグ部を挿入させた状態で前記ガス栓本体に装着されるソケット本体と、当該ソケット本体に着脱自在に装着され、当該ソケット本体に装着された状態で前記先端開口部を閉じる蓋体とを備えたガスソケットであって、
前記蓋体が、蓋体支持機構により、前記先端開口部を閉じることが可能な開閉操作位置と、前記ソケット本体におけるソケット前後方向において前記先端開口部とは反対側の後端よりも後方側の着脱操作位置とに位置変更操作自在に、前記ソケット本体に支持され、
前記蓋体支持機構が、前記蓋体を前記着脱操作位置に位置させるように操作された状態において、前記ソケット前後方向での前記ソケット本体に対する前記蓋体或いは当該蓋体と連動する前記蓋体支持機構の部分の相対移動を制限するように構成されているガスソケット。
【請求項２】
前記蓋体支持機構が、前記ソケット本体の外側面における前記ソケット前後方向の中央よりも後方側に寄った位置にて、前記ソケット前後方向に直交するソケット径方向に沿う軸心周りで少なくとも半周以上にわたって回動自在に、基端部が支持されたアーム部を備えて構成され、
前記蓋体が、前記アーム部の先端部に支持されている請求項１に記載のガスソケット。
【請求項３】
前記蓋体支持機構が、前記アーム部の基端部を、前記ソケット前後方向に沿って所定の軸心可動距離の範囲で移動自在で、且つ、前記ソケット径方向に沿う軸心周りに少なくとも半周にわたって回動自在に支持する可動軸支部を備えて構成されている請求項２に記載のガスソケット。
【請求項４】
前記可動軸支部が、前記アーム部のアーム長さ方向に直交する方向で、前記ソケット径方向の内方側に突出する状態で、前記アーム部に設けられた前方側軸部及び後方側軸部と、前記ソケット本体の外側面に設けられて、前記前方側軸部及び前記後方側軸部を挿入状態で支持する軸支用溝部とを備えて構成され、
前記前方側軸部及び前記後方側軸部が、前記アーム長さ方向に沿って軸心同士を前記軸心可動距離隔てた状態で、前記アーム部に並べて設けられ、
前記軸支用溝部が、前記ソケット径方向視において、直径に対応する経路部分が前記ソケット前後方向に沿う状態で、前記軸心可動距離を半径とする半円状を呈する経路にて、前記ソケット本体の外側面に設けられている請求項３に記載のガスソケット。
【請求項５】
前記アーム部の基端部が、前記ソケット径方向に沿う軸心にて、前記ソケット本体に枢支され、
前記蓋体が、蓋体可動支持部により、前記アーム部の基端側に復帰付勢された状態で、前記アーム部のアーム長さ方向に沿って所定の蓋体可動距離の範囲で移動自在に、前記アーム部の先端部に支持されている請求項２に記載のガスソケット。
【請求項６】
前記蓋体が、当該蓋体の前面が前記アーム部のアーム長さ方向に直交する直交姿勢と前記アーム長さ方向に平行となる平行姿勢とに揺動自在に、前記アーム部の先端部に支持されている請求項２〜５のいずれか１項に記載のガスソケット。
【請求項７】
前記アーム部が、前記ソケット本体における前記ソケット径方向の両側に振り分けて、一対設けられている請求項２〜６のいずれか１項に記載のガスソケット。
【発明の詳細な説明】
【技術分野】
【０００１】
本発明は、先端開口部を有し、当該先端開口部にガス栓本体のプラグ部を挿入させた状態で前記ガス栓本体に装着されるソケット本体と、当該ソケット本体に着脱自在に装着され、当該ソケット本体に装着された状態で前記先端開口部を閉じる蓋体とを備えたガスソケットに関する。
【背景技術】
【０００２】
かかるガスソケットは、住宅等の壁に埋め込み状態で設けられたガスコンセントに接続して、ガスファンヒータ等のガス消費機器にガス燃料を供給するものであり、ガスコンセントのガス栓本体に装着されるソケット本体と、そのソケット本体の先端開口部を閉じる蓋体等を備えている。ちなみに、この蓋体は、ソケット本体内に先端開口部から塵埃等の異物が入るのを防止するためのものである。
【０００３】
このようなガスソケットにおいて、従来、蓋体は、柔軟性を有する樹脂製の紐状の連結部材を介して、ソケット本体に連結されていた（例えば、特許文献１参照。）。
一方、ガスコンセントのガス栓本体は、住宅等の壁面を形成する壁面形成材の裏面に、取付部材によって取り付けられる。説明を加えると、壁面形成材には、ガスコンセント取付用の開口部が形成され、ガス栓本体は、そのプラグ部の先端を壁面形成材の表面よりも後退させて壁面形成材の開口部に臨ませた状態で、壁面に埋め込み状態で設けられる（例えば、特許文献２参照。）。
【先行技術文献】
【特許文献】
【０００４】
【特許文献１】特開２０１０−４８３６８号公報
【特許文献２】特開２０１２−５７６８５号公報
【発明の概要】
【発明が解決しようとする課題】
【０００５】
ところで、壁面形成材には、種々の厚さのものがあるので、ガス栓本体が取付部材によって壁面形成材の裏面に取り付けられた状態では、壁面形成材の表面からのプラグ部の後退位置は、壁面形成材の厚さによって異なる。つまり、壁面形成材の厚さが厚いほど、プラグ部が壁面形成材の表面から奥側に位置することになる。
一方、使用者が、ガスソケットをガスコンセントに装着したり、ガスコンセントから外したりするガスソケットの着脱操作の際には、ソケット本体の後端側部分を指で把持して行うことになる。そこで、ソケット本体がその先端開口部にプラグ部を挿入させてガス栓本体に装着された状態で、ソケット本体の後端側部分を壁面形成材の表面から突出させるように、ソケット本体におけるソケット前後方向での寸法が設定されることになる。
【０００６】
そして、ソケット本体における壁面形成材の表面からの突出量は、壁面形成材の厚さが厚いほど小さくなり、その突出量が小さ過ぎると、ソケット本体における壁面形成材の表面からの突出部分を指で把持し難くなるので、ガスソケットの着脱操作が行い難くなる。
そこで、従来では、ガスソケットの着脱操作が行い難くなるのを防止するために、想定される壁面形成材の厚さのうち、最も厚いものを対象にして、ガスソケットがガスコンセントに装着された状態で、ソケット本体における壁面形成材の表面からの突出量が小さくなり過ぎないように、ソケット本体のソケット前後方向での寸法を設定していた。
従って、従来のガスソケットでは、小型化を図る上で改善の余地があった。
【０００７】
本発明は、かかる実情に鑑みてなされたものであり、その目的は、着脱操作が容易に行えながら、小型化を図り得るガスソケットを提供することにある。
【課題を解決するための手段】
【０００８】
本発明に係るガスソケットは、先端開口部を有し、当該先端開口部にガス栓本体のプラグ部を挿入させた状態で前記ガス栓本体に装着されるソケット本体と、当該ソケット本体に着脱自在に装着され、当該ソケット本体に装着された状態で前記先端開口部を閉じる蓋体とを備えたものであって、
第１特徴構成は、前記蓋体が、蓋体支持機構により、前記先端開口部を閉じることが可能な開閉操作位置と、前記ソケット本体におけるソケット前後方向において前記先端開口部とは反対側の後端よりも後方側の着脱操作位置とに位置変更操作自在に、前記ソケット本体に支持され、
前記蓋体支持機構が、前記蓋体を前記着脱操作位置に位置させるように操作された状態において、前記ソケット前後方向での前記ソケット本体に対する前記蓋体或いは当該蓋体と連動する前記蓋体支持機構の部分の相対移動を制限するように構成されている点にある。
【０００９】
上記特徴構成によれば、蓋体をソケット本体に装着するときは、蓋体支持機構を操作して、蓋体を開閉操作位置に位置させる。
ソケット本体をガス栓本体に装着するときは、蓋体支持機構を操作して、蓋体を着脱操作位置に位置させる。そして、指で蓋体或いは蓋体支持機構の部分を把持する形態でソケット本体を持って、そのソケット本体の先端開口部をガス栓本体のプラグ部の先端に被せて押し込むと、ソケット前後方向でのソケット本体と蓋体或いは蓋体支持機構の部分との相対移動が制限されているので、ソケット本体をその先端開口部にプラグ部を挿入させるように押し込むことができて、ソケット本体をガス栓本体に装着することができる。
その際、蓋体或いは蓋体支持機構の部分は、ソケット本体の後端よりも後方側に位置しているので、ソケット本体におけるソケット前後方向での寸法を比較的短く設定しても、ソケット本体がガス栓本体に装着された状態で、蓋体或いは蓋体支持機構の部分を指で容易に把持できるように、蓋体或いは蓋体支持機構の部分を壁面形成材の表面から突出させるようにすることが可能となる。
従って、着脱操作が容易に行えながら、小型化を図り得るガスソケットを提供することができる。
【００１０】
しかも、蓋体は、蓋体支持機構によりソケット本体に支持されているので、蓋体の紛失を防止することができる。又、ソケット本体をガス栓本体に装着するときは、蓋体はソケット本体の後端よりも後方側に位置していて、その蓋体を把持して、ソケット本体をガス栓本体に装着するので、ソケット本体をガス栓本体に装着する際に蓋体が邪魔になるのも防止することができる。
【００１１】
第２特徴構成は、上記第１特徴構成に加えて、
前記蓋体支持機構が、前記ソケット本体の外側面における前記ソケット前後方向の中央よりも後方側に寄った位置にて、前記ソケット前後方向に直交するソケット径方向に沿う軸心周りで少なくとも半周以上にわたって回動自在に、基端部が支持されたアーム部を備えて構成され、
前記蓋体が、前記アーム部の先端部に支持されている点にある。
【００１２】
上記特徴構成によれば、開閉操作位置と着脱操作位置とにわたる蓋体の位置変更操作は、アーム部をソケット前後方向に沿って揺動させることにより容易に行うことができる。
又、基端部を回動自在にソケット本体の外側面に支持するといった簡素な構成のアーム部を用いて、蓋体支持機構を構成するので、蓋体支持機構の構成を簡素化して、コストダウンを図ることができる。
従って、ガスコンセントの低廉化を図りながら、開閉操作位置と着脱操作位置とにわたる蓋体の位置変更操作を一層容易に行えるようにすることができる。
【００１３】
第３特徴構成は、上記第２特徴構成に加えて、
前記蓋体支持機構が、前記アーム部の基端部を、前記ソケット前後方向に沿って所定の軸心可動距離の範囲で移動自在で、且つ、前記ソケット径方向に沿う軸心周りに少なくとも半周にわたって回動自在に支持する可動軸支部を備えて構成されている点にある。
【００１４】
上記特徴構成によれば、蓋体を開閉操作位置に位置させるように、アーム部を操作した状態で、アーム部をソケット本体に対してソケット前後方向に軸心可動距離の範囲で移動させることができる。
そこで、蓋体をソケット本体に装着するときは、蓋体をソケット本体の前面から前方に離間させた状態で開閉操作位置に位置させるように、アーム部を操作し、その状態で、アーム部をソケット本体に対してソケット前後方向の後方側に移動させると、蓋体をソケット本体に装着することができる。
又、ソケット本体から蓋体を外して、ソケット本体をガス栓本体に装着するときは、アーム部をソケット本体に対してソケット前後方向の前方側に移動させると、蓋体をソケット本体から外すことができ、その状態で、アーム部をソケット前後方向の後方側に揺動させると、蓋体を着脱操作位置に位置させることができる。
つまり、蓋体を位置変更操作するためのアーム部を操作することにより、蓋体をソケット本体に装着したりソケット本体から外したりすることができる。
従って、ガスコンセントに対するガスソケットの着脱操作の容易化に加えて、ソケット本体に対する蓋体の着脱操作の容易化をも図ることができる。
【００１５】
第４特徴構成は、上記第３特徴構成に加えて、
前記可動軸支部が、前記アーム部のアーム長さ方向に直交する方向で、前記ソケット径方向の内方側に突出する状態で、前記アーム部に設けられた前方側軸部及び後方側軸部と、前記ソケット本体の外側面に設けられて、前記前方側軸部及び前記後方側軸部を挿入状態で支持する軸支用溝部とを備えて構成され、
前記前方側軸部及び前記後方側軸部が、前記アーム長さ方向に沿って軸心同士を前記軸心可動距離隔てた状態で、前記アーム部に並べて設けられ、
前記軸支用溝部が、前記ソケット径方向視において、直径に対応する経路部分が前記ソケット前後方向に沿う状態で、前記軸心可動距離を半径とする半円状を呈する経路にて、前記ソケット本体の外側面に設けられている点にある。
【００１６】
上記特徴構成によれば、後方側軸部を軸支用溝部における直径に対応する経路部分に入り込ませると共に、前方側軸部を軸支用溝部における円周に対応する経路部分に入り込ませた状態にすると、後方側軸部が揺動軸心となって、前方側軸部が軸支用溝部における円周に対応する経路部分を移動する形態で、アーム部をソケット前後方向に沿って揺動させることができる。
そして、アーム部を、ソケット前後方向の前方側に揺動させて、アーム長さ方向をソケット前後方向に沿わせた姿勢にすると、前方側軸部が前方に位置する状態で、前方側軸部及び後方側軸部が共に軸支用溝部における直径に対応する経路部分に入り込んだ状態となる。そして、その状態で、前方側軸部及び後方側軸部が共に軸支用溝部における直径に対応する経路部分を移動する形態で、アーム部を、ソケット本体に対してソケット前後方向に移動させることができるので、蓋体をソケット本体に装着したりソケット本体から外したりすることができる。
又、アーム部を、ソケット前後方向の後方側に揺動させて、アーム長さ方向をソケット前後方向に沿わせた姿勢にすると、前方側軸部が後方に位置する状態で、前方側軸部及び後方側軸部が共に軸支用溝部における直径に対応する経路部分に入り込んだ状態となる。
そして、その状態で、蓋体或いは当該蓋体と連動する蓋体支持機構の部分を把持した形態でソケットを持つと、前方側軸部及び後方側軸部によりソケット本体が支えられた形態で、ソケット本体の姿勢が保持されるので、ガスコンセントに対するガスソケットの着脱操作が更に行い易くなる。
【００１７】
第５特徴構成は、上記第２特徴構成に加えて、
前記アーム部の基端部が、前記ソケット径方向に沿う軸心にて、前記ソケット本体に枢支され、
前記蓋体が、蓋体可動支持部により、前記アーム部の基端側に復帰付勢された状態で、前記アーム部のアーム長さ方向に沿って所定の蓋体可動距離の範囲で移動自在に、前記アーム部の先端部に支持されている点にある。
【００１８】
上記特徴構成によれば、アーム部をソケット径方向に沿う軸心にてソケット前後方向に沿って揺動させることにより、蓋体を開閉操作位置と着脱操作位置とに位置変更操作することができる。
そして、蓋体を開閉操作位置に位置させるようにアーム部を操作した状態では、蓋体可動支持部の付勢力によって、蓋体がソケット本体の側に引っ張られた状態で、ソケット本体に装着される。
そして、蓋体をソケット本体から外すときは、蓋体を付勢力に抗して前方に引っ張って、ソケット本体の前面から離間させた状態で、アーム部をソケット前後方向の後方側に揺動させることになる。
従って、ソケット本体の先端開口部を閉じた状態で、蓋体をソケット本体に確実に保持することができる。
【００１９】
第６特徴構成は、上記第２〜第５特徴構成にいずれか１つに加えて、
前記蓋体が、当該蓋体の前面が前記アーム部のアーム長さ方向に直交する直交姿勢と前記アーム長さ方向に平行となる平行姿勢とに揺動自在に、前記アーム部の先端部に支持されている点にある。
【００２０】
上記特徴構成によれば、蓋体をソケット本体に装着するときは、蓋体を、直交姿勢にして開閉操作位置に位置させる。
一方、ガスソケットをガスコンセントに装着するときやガスコンセントから外すときは、蓋体を平行姿勢にすると、蓋体を壁面形成材の表面からより一層大きく突出させることができる。
従って、ガスコンセントに対するガスソケットの着脱操作を更に容易化することができる。
【００２１】
第７特徴構成は、上記第２〜第６特徴構成にいずれか１つに加えて、
前記アーム部が、前記ソケット本体における前記ソケット径方向の両側に振り分けて、一対設けられている点にある。
【００２２】
上記特徴構成によれば、アーム部が、ソケット本体におけるソケット径方向の両側に振り分けて一対設けられて、それら一対のアーム部の先端部に蓋体が支持されているので、着脱操作位置に位置する蓋体或いは一対のアーム部を把持する形態でソケット本体を持って、ガスソケットをガスコンセントに装着したりガスソケットから外したりするときに、ソケット本体の姿勢を安定化することができる。
従って、ガスコンセントに対するガスソケットの着脱操作を更に容易化することができる。
【図面の簡単な説明】
【００２３】
【図１】第１実施形態に係るガスソケットとガスコンセントを示す斜視図
【図２】第１実施形態に係るガスソケットがガスコンセントに装着された状態を示す斜視図
【図３】第１実施形態に係るガスソケットの分解斜視図
【図４】第１実施形態に係るガスソケットの側面図及び平面図
【図５】第１実施形態に係るガスソケットにおけるガスコンセントに対する着脱操作の手順を説明する図
【図６】第２実施形態に係るガスソケットの外観を示す斜視図
【図７】第２実施形態に係るガスソケットの分解斜視図
【図８】第２実施形態に係るガスソケットの側面図
【図９】第２実施形態に係るガスソケットの蓋体可動支持部を示す横断面図
【図１０】第２実施形態に係るガスソケットにおけるガスコンセントに対する着脱操作の手順を説明する図
【図１１】ガスコンセントの壁材への取付構造を示す分解斜視図
【発明を実施するための形態】
【００２４】
以下、図面に基づいて、本発明の実施の形態を説明する。
〔第１実施形態〕
先ず、第１実施形態を説明する。
図１に示すように、ガスソケットＳは、先端開口部１ａを有し、当該先端開口部１ａにガスコンセントＣのガス栓本体１１（図１１参照）のプラグ部１２を挿入させた状態でガス栓本体１１に装着されるソケット本体１と、当該ソケット本体１に着脱自在に装着され、当該ソケット本体１に装着された状態で先端開口部１ａを閉じる蓋体２とを備えている。
又、ガスソケットＳのソケット本体１には、その前面に先端開口部１ａを形成する状態で、ソケット前後方向に延びる貫通孔（図示省略）が設けられ、ソケット本体１におけるソケット前後方向で先端開口部１ａとは反対側の後端部には、ソケット本体１内の貫通孔に連通する状態で、ソケット側継手３が設けられ、更に、ソケット本体１の外周部の前端側には、進退筒４が、ソケット前後方向に移動自在で且つ前進方向に復帰付勢された状態で外嵌状に設けられている。
【００２５】
ソケット側継手３には、ガスホース５（「ガスコード」と呼ばれることもある）の一端が接続され、そのガスホース５の他端には、ガスファンヒータ等のガス消費機器（図示省略）に接続するための機器側継手６が設けられている。
【００２６】
一方、ガスコンセントＣは、ガス管（図示省略）に接続された状態で、住宅等の壁材Ｗ（壁面形成材の一例）の裏面に埋め込み状態で設けられる。
そして、ソケット本体１の先端開口部１ａをガス栓本体１１のプラグ部１２に外嵌させて、ガスソケットＳを押し込むと、ワンタッチでソケット本体１がガス栓本体１１に装着されると共に、進退筒４が前進してその装着がロックされ、且つ、ソケット本体１内の開閉弁（図示省略）が開弁されて、ガス管（図示省略）からのガス燃料がプラグ部１２を介してソケット本体１に流入し、ガスホース５を介してガス消費機器に供給されることになる。
【００２７】
ここで、ガスソケットＳ及びガスコンセントＣは、公知であるので、それらの構造については、図示及び詳細な説明を省略して、簡単な説明に止め、主として、本願発明及び本願発明に関連する構造について、詳細に説明する。
【００２８】
先ず、ガスソケットＳの構造について、簡単に説明する。
図１、図３及び図４に示すように、ガスソケットＳのソケット本体１は、概略、円柱状の外形を呈する形状に構成されている。尚、図４（ａ）は、ガスソケットＳの右側面図であり、図４（ｂ）は、ガスソケットＳの平面図である。
前述の貫通孔は、その後端側の部分が、ソケット前後方向に対して後方側ほどソケット本体１のソケット径方向外方側に位置する傾斜状（以下、外向き傾斜状）となる屈曲状態で、ソケット本体１内に形成され、ソケット側継手３は、貫通孔の外向き傾斜状部分に回動自在に接続されている。つまり、ソケット側継手３は、ソケット本体１の後方側の部分から斜め後ろ向きに突出するように設けられている。
そして、ソケット本体１とソケット側継手３とを相対回転させることにより、ガスコンセントＣからのガスホース５の取り出し方向を可変できるように構成されている。
【００２９】
進退筒４は、前進方向に復帰付勢された状態で設けられ、ソケット本体１内には、複数のボール（図示省略；例えば特開２０１０−１７４９２２号参照）が、進退筒４が後退した状態ではソケット径方向外方への移動が許容され、進退筒４が前進した状態ではその進退筒４によりソケット径方向外方への移動が阻止される状態で、周方向に分散して装入されている。
更に、ソケット本体の内部には、接続筒（図示省略）が、ソケット前後方向に移動自在で、且つ、前進方向に復帰付勢された状態で設けられている。この接続筒が後退した状態では、複数のボールのソケット径方向内方への移動が許容され、接続筒が前進した状態では、その接続筒により、複数のボールのソケット径方向内方への移動が阻止されるように構成されている。
【００３０】
そして、ソケット本体１がガス栓本体１１に装着されていない状態では、接続筒が前進位置に位置して、複数のボールの径方向内方側への移動が阻止された状態で、進退筒４が複数のボールによって後退位置に保持されている。
【００３１】
次に、ガスコンセントＣの構造について、簡単に説明する。
図１１に示すように、ガスコンセントＣは、筒状のプラグ部１２を有するガス栓本体１１と、ガス栓本体１１に装着されたソケット本体１の装着状態を解除するための脱レバー１３等を備えて構成されている。
プラグ部１２の先端側の外周部には、ソケット本体１内に装入された複数のボールを係脱可能な凹溝部１２ａが、外周部の全周にわたる環状に設けられている。
【００３２】
脱レバー１３は、二股状部分１３ａを備えて、その二股状部分１３ａにてプラグ部１２を挟む状態で、且つ、二股状部分１３ａが壁材Ｗの厚さ方向に相当する奥行方向に揺動自在な状態で、ガス栓本体１１に取り付けられている。ここで、奥行方向において、壁材Ｗの表面側の方向を手前側と称し、壁材Ｗの裏面側の方向を奥側と称する。
そして、脱レバー１３は、二股状部分１３ａが奥行方向の奥側に揺動する方向に復帰付勢されており、二股状部分１３ａが奥行方向の手前側に揺動するのに伴って、その二股状部分１３ａがガス栓本体１１に装着されたガスソケットＳの進退筒４に当接して、その進退筒４を後退させることが可能なように構成されている。
【００３３】
次に、ガスコンセントＣを壁材Ｗの裏面に取り付けるための構成について説明する。
図１１に示すように、ガスコンセントＣは、取付部材Ｆを用いて壁材Ｗの裏面に取り付けられる。この取付部材Ｆは、壁材Ｗに形成された開口部Ｗａの開口縁に沿って壁材Ｗの表面側に取り付けられる矩形枠状の表側枠体１４、開口部Ｗａの開口縁に沿って壁材Ｗの裏面側に取り付けられる矩形枠状の裏側枠体１５、及び、その裏側枠体１５の裏面側に間隔を開けて取り付けられる取付台１６等を備えて構成されている。
【００３４】
表側枠体１４と裏側枠体１５とは、それらの間に壁材Ｗを介在させた状態で複数のネジ１７により連結することにより、壁材Ｗの表裏に取り付けられる。
裏側枠体１５の裏面側には、複数の突片１５ａが奥行方向の奥側に向けて突設され、これら複数の突片１５ａの先端に、取付台１６が複数のネジ１８により取り付けられる。
そして、ガスコンセントＣが、裏側枠体１５と取付台１６との間に位置させた状態で、複数のネジ１９により取付台１６に取り付けられることにより、壁材Ｗの裏面側に埋め込み状で取り付けられる。
【００３５】
更に、図１及び図１１に示すように、壁材Ｗの開口部Ｗａを覆う表カバー２０が、表側枠体１４に着脱自在に取り付けられるように構成されている。
この表カバー２０の表面には、矩形状の凹部２０ａが形成され、その凹部２０ａの底面には、取付部材Ｆに取り付けられたガスコンセントＣのプラグ部１２の先端を臨ませるための円状のプラグ露呈用開口２０ｂ、及び、そのプラグ露呈用開口２０ｂの側方に位置する細長矩形状の扉体挿通孔２０ｃが開口されている。
そして、表カバー２０には、扉体２１が、面方向が奥行方向に直交する姿勢で凹部２０ａに嵌まり込んで、プラグ露呈用開口２０ｂを閉じる倒れ姿勢（図示省略）と、面方向が奥行方向に沿う姿勢で扉体挿通孔２０ｃに挿通される状態となって、プラグ露呈用開口２０ｂを開く立ち姿勢（図１参照）とに切り換え自在で、且つ、立ち姿勢において奥行方向に往復移動操作自在に設けられている。
そして、立ち姿勢の扉体２１を奥行方向の奥側へ押し込むと、二股状部分１３ａが奥行方向の手前側に移動する方向に、脱レバー１３を揺動可能に構成されている。
【００３６】
ガスソケットＳをガスコンセントＣに装着するときは、図１に示すように、扉体２１を立ち姿勢にした状態で、ガスソケットＳを表カバー２０のプラグ露呈用開口２０ｂを通して押し込む。
すると、ソケット本体１内の接続筒がプラグ部１２の先端により受け止められて、ソケット本体１に対して後退させられ、それに伴って、複数のボールのソケット径方向内方側への移動が許容されるので、複数のボールにより後退位置に保持されていた進退筒４が付勢力によって前進して前進位置に位置し、その前進位置に位置する進退筒４により、複数のボールが、ソケット径方向外方側への移動が阻止された状態でプラグ部１２の凹溝部１２ａに係合されて、ソケット本体１がガス栓本体１１に装着されると共にその装着状態でロックされ、並びに、接続筒が後退位置に保持される。
【００３７】
ガスソケットＳをガスコンセントＣから外すときは、立ち姿勢の扉体２１を奥行方向の奥側へ押し込む。
すると、脱レバー１３が揺動させられて、二股状部分１３ａが奥行方向の手前側に移動して、その二股状部分１３ａにより、ガスソケットＣの進退筒４が後退させられて、後退位置に位置し、それに伴って、複数のボールのソケット径方向外方側への移動が許容されるので、ソケット本体１がプラグ部１２から外れると共に、接続筒が付勢力によって前進して前進位置に戻り、その前進位置に位置する接続筒により、複数のボールのソケット径方向内方側への移動が阻止されて、それら複数のボールによって進退筒４が後退位置に保持される。
【００３８】
上述のように、ガスコンセントＣのガス栓本体１１は、壁材Ｗの裏面に、取付部材Ｆによって取り付けられるので、壁材Ｗの表面からのプラグ部１２の後退位置は、壁材Ｗの厚さによって異なる。つまり、壁材Ｗの厚さが厚いほど、プラグ部１２が壁材Ｗの表面から奥側に位置することになる。
そして、ソケット本体１が、その先端開口部１ａにプラグ部１２を挿入させてガス栓本体１１に装着された状態では、ソケット本体１における壁材Ｗの表面からの突出量は、壁材Ｗの厚さが厚いほど小さくなる。
従って、ソケット本体１のソケット前後方向での寸法を短くして、ガスソケットＳの小型化を図ると、ガスソケットＳをガスコンセントＣに装着した状態において、ソケット本体１における壁材Ｗの表面からの突出量が小さくなるので、ソケット本体１の後端側部分を指で把持して、ガスソケットＳをガスコンセントＣに装着したりガスコンセントＣから外したりするガスソケットＳの着脱操作が、行い難くなる。
【００３９】
そこで、図１、図３及び図４に示すように、本願発明では、蓋体２が、蓋体支持機構Ｍにより、先端開口部１ａを閉じることが可能な開閉操作位置と、ソケット本体１におけるソケット前後方向において先端開口部１ａとは反対側の後端よりも後方側の着脱操作位置とに位置変更操作自在に、ソケット本体１に支持され、蓋体支持機構Ｍが、蓋体２を着脱操作位置に位置させるように操作された状態において、ソケット前後方向でのソケット本体１に対する蓋体２或いは当該蓋体と連動する蓋体支持機構Ｍの部分（具体的には後述する一対のアーム部３０）との相対移動を制限するように構成されている。ここで、開閉操作位置は、ソケット前後方向において、ソケット本体１の先端開口部１ａよりも前方の位置である。
この第１実施形態では、蓋体支持機構Ｍが、ソケット本体１の外側面におけるソケット前後方向の中央よりも後方側に寄った位置にて、ソケット前後方向に直交するソケット径方向に沿うアーム回動軸心Ａ１周りで少なくとも半周以上にわたって回動自在に、基端部が支持されたアーム部３０を備えて構成され、蓋体２が、アーム部３０の先端部に支持されている。
【００４０】
又、蓋体支持機構Ｍが、アーム部３０の基端部を、ソケット前後方向に沿って所定の軸心可動距離Ｒの範囲で移動自在で、且つ、ソケット径方向に沿うアーム回動軸心Ａ１周りに少なくとも半周にわたって回動自在に支持する可動軸支部Ｎを備えて構成されている。
更に、アーム部３０が、ソケット本体１における左右方向（ソケット径方向に相当する）の両側に振り分けて、一対設けられ、可動軸支部Ｎが、一対のアーム部３０夫々に対して設けられている。
【００４１】
次に、図１、図３及び図４に基づいて、蓋体支持機構Ｍについて説明を加える。
尚、一対のアーム部３０夫々に対応する可動軸支部Ｎは、同様に構成されているので、図１、図３及び図４等においては、主として、ソケット本体１の前面視で右側のアーム部３０に対応する可動軸支部Ｎを図示している。
この第１実施形態では、可動軸支部Ｎが、アーム部３０のアーム長さ方向に直交する方向で、ソケット径方向の内方側に突出する状態で、アーム部３０に設けられた前方側軸部３１及び後方側軸部３２と、ソケット本体１の外側面に設けられて、前方側軸部３１及び後方側軸部３２を挿入状態で支持する軸支用溝部４０とを備えて構成されている。
前方側軸部３１及び後方側軸部３２は、アーム長さ方向に沿って軸心同士を軸心可動距離Ｒ隔てた状態で、アーム部３０に並べて設けられている。
又、軸支用溝部４０が、ソケット径方向視において、直径に対応する経路部分（以下、直線状経路部分と称する場合がある）４１がソケット前後方向に沿う状態で、溝の溝幅方向の中央が軸心可動距離Ｒを半径とする半円状を呈する経路にて、ソケット本体１の外側面に設けられている。
【００４２】
説明を加えると、各アーム部３０は、概ね、直線状に構成され、その基端部分に、円柱状の前方側軸部３１及び後方側軸部３２が、アーム長さ方向に直交する姿勢で、アーム長さ方向に沿って軸心同士を軸心可動距離Ｒ隔てた状態で並設されている。
【００４３】
図４に示すように、軸支用溝部４０は、ソケット本体１の外側面におけるソケット前後方向の後方側に寄った位置において、ソケット側継手３を左右方向の中央にした平面視で、左右両側に対応する部分の夫々に、ソケット径方向内方側に凹む凹溝状に設けられている。
軸支用溝部４０の直線状経路部分４１、及び、円弧状の経路部分（以下、円弧状経路部分と称する場合がある）４２夫々の溝幅は同一であり、前方側軸部３１及び後方側軸部３２を挿入可能な溝幅に設定されている。
【００４４】
軸支用溝部４０の直線状経路部分４１における溝長手方向（ソケット前後方向に相当する）の中央には、直線状経路部分４１の溝幅よりも多少大きい直径の回動支持用穴４３がソケット径方向内方側に凹む状態で設けられている。
又、軸支用溝部４０の直線状経路部分４１の前端と円弧状経路部分４２との交点には、直線状経路部分４１の溝幅よりも多少大きい直径の前方側転換用穴４４がソケット径方向内方側に凹む状態で設けられ、軸支用溝部４０の直線状経路部分４１の後端と円弧状経路部分４２との交点には、前方側転換用穴４４と同径の後方側転換用穴４５がソケット径方向内方側に凹む状態で設けられている。
【００４５】
そして、各アーム部３０を、例えば、アーム部３０の先端がソケット前後方向の前方を向く状態で、アーム長さ方向がソケット前後方向に沿う姿勢（図４及び図５（ａ）参照）にすると、各アーム部３０の前方側軸部３１及び後方側軸部３２を軸支用溝部４０の直線状経路部分４１に挿入可能となる。
そして、その状態で、アーム部３０をソケット本体１に対してソケット前後方向の前方側に移動させると、図５（ｂ）に示すように、前方側軸部３１が軸支用溝部４０の前方側転換用穴４４に入り込み、且つ、後方側軸部３２が軸支用溝部４０の回動支持用穴４３に入り込んだ状態となり、そのような状態から、図５（ｃ）に示すように後方側軸部３２が回動自在に軸支用溝部４０の回動支持用穴４３に支持され、且つ、前方側軸部３１が軸支用溝部４０の円弧状経路部分４２を移動する状態で、アーム部３０をソケット前後方向に沿ってアーム回動軸心Ａ１周りで揺動させることができる。
【００４６】
つまり、この第１実施形態では、各アーム部３０が、夫々の先端がソケット前後方向の前方を向く状態でアーム長さ方向がソケット前後方向に沿う姿勢（以下、蓋開閉操作姿勢と記載する場合がある）になる位置と、夫々の先端がソケット前後方向の後方を向く状態でアーム長さ方向がソケット前後方向に沿う姿勢（以下、着脱操作姿勢と記載する場合がある）になる位置との間の半周にわたって、アーム回動軸心Ａ１周りで回動自在に、ソケット本体１に設けられている。そして、一対のアーム部３０を蓋開閉操作姿勢にすると、蓋体２を開閉操作位置に位置させることができ、一対のアーム部３０を着脱操作姿勢にすると、蓋体２を着脱操作位置に位置させることができる。
【００４７】
尚、各軸支用溝部４０は、その円弧状経路部分４２がソケット側継手３の側とは反対側に向く状態で設けられて、各アーム部３０が、ソケット本体１の側方において、ソケット側継手３が突出している側方とは反対側の側方にて半周にわたって回動自在なように、設けられている。
【００４８】
又、一対のアーム部３０を着脱操作姿勢にした状態では、ソケット前後方向でのソケット本体１と蓋体２との相対移動は、各軸支用溝部４０の直線状経路部分４１とそれに挿入された各アーム部３０の前方側軸部３１及び後方側軸部３２とにより、軸心可動距離Ｒの範囲に制限される。つまり、蓋体支持機構Ｍが、蓋体２を着脱操作位置に位置させるように操作された状態において、ソケット前後方向でのソケット本体１に対する蓋体２及び一対のアーム部３０の相対移動を軸心可動距離Ｒ（図４参照）の範囲に制限するように構成されていることになる。
【００４９】
図３及び図５に示すように、蓋体２は、外径がソケット本体１の先端開口部１ａの内径と略同径で、先端開口部１ａに内嵌可能な小径部分２ａと、その小径部分２ａよりも大径の大径部分２ｂとが同心状に並ぶ２段状に構成されている。
そして、蓋体２が、その大径部分２ｂの側部が各アーム部３０の先端部に枢支された状態で、一対のアーム部３０夫々の先端部に跨って支持されている。つまり、蓋体２が、その直径に沿う蓋体回動軸心Ａ２周りに回動自在に、一対のアーム部３０夫々の先端部に跨って支持されている。
従って、蓋体２が、当該蓋体２の前面がアーム部３０のアーム長さ方向に直交する直交姿勢とアーム長さ方向に平行となる平行姿勢とに揺動自在に、アーム部３０の先端部に支持されていることになる。
【００５０】
各アーム部３０の長さは、以下のように設定されている。
即ち、一対のアーム部３０夫々を、蓋開閉操作姿勢で夫々の前方側軸部３１が軸支用溝部４０の前方転換用穴４４に入り込んだ状態にすると（図５（ｂ）参照）、直交姿勢の蓋体２がソケット本体１の前端面の前方に間隔を隔てて位置し、その状態で、一対のアーム部３０をソケット前後方向の後方側に、夫々の後方側軸部３２が軸支用溝部４０の後方側転換用穴４５に入り込むまで移動させると（図５（ａ）参照）、蓋体２の小径部分２ａがソケット本体１の先端開口部１ａに入り込んでその先端開口部１ａを閉じることが可能となるように、各アーム部３０の長さが設定されている。
【００５１】
次に、図５に基づいて、蓋体２をソケット本体１に装着したりソケット本体１から外したりする手順、及び、ガスソケットＳをガスコンセントＣに装着したりガスコンセントＣから外したりする手順について、説明する。
ソケット本体１に蓋体２が装着されている状態では、図５（ａ）に示すように、一対のアーム部３０が、蓋開閉操作姿勢になった状態（即ち、蓋体２を開閉操作位置に位置させた操作状態）で、一対のアーム部３０夫々の前方側軸部３１が回動支持用穴４３に、後方側軸部３２が後方側転換用穴４５に夫々入り込むと共に、直交姿勢の蓋体２の小径部分２ａがソケット本体１の先端開口部１ａに内嵌されている。
【００５２】
蓋体２をソケット本体１から外して、ガスソケットＳをガスコンセントＣに装着するときは、図５（ａ）に示す如く、蓋体２がソケット本体１に装着されている状態から、一対のアーム部３０をソケット本体１に対してソケット前後方向の前方側に移動させると、蓋体２がソケット本体１から外れる。そのように、一対のアーム部３０を移動させる際は、一対のアーム部３０夫々の前方側軸部３１及び後方側軸部３２が軸支用溝部４０の直線状経路部分４１をソケット前後方向の前方側へ移動し、そして、図５（ｂ）に示すように、前方側軸部３１が前方側転換用穴４４に、後方側軸部３２が回動支持用穴４３に夫々入り込むと、それから先は移動できなくなる。
【００５３】
次いで、一対のアーム部３０を、夫々の先端がソケット前後方向の後方側に移動するように揺動させる。すると、図５（ｃ）に示すように、一対のアーム部３０夫々の後方側軸部３２が軸支用溝部４０の回動支持用穴４３にて軸支されて、一対のアーム部３０夫々の前方側軸部３１が軸支用溝部４０の円弧状経路部分４２を通る形態で、一対のアーム部３０がアーム回動軸心Ａ１にてソケット前後方向の後方側に揺動する。
【００５４】
そして、図５（ｄ）に示すように、一対のアーム部３０夫々が着脱操作姿勢（即ち、蓋体２を着脱操作位置に位置させた操作状態）になって、一対のアーム部３０夫々の前方側軸部３１が軸支用溝部４０の後方側転換用穴４５に入り込むと、それから先は、一対のアーム部３０を揺動させることができなくなる。
一対のアーム部３０夫々が着脱操作姿勢になった状態で、蓋体２を蓋体回動軸心Ａ２にて揺動させて、図５（ｄ）に示すように、蓋体２を、その前面がアーム部３０のアーム長さ方向に平行となる平行姿勢にする。
【００５５】
そして、平行姿勢の蓋体２を指で把持した形態（図２参照）で、ガスソケットＳを持って、ソケット本体１を表カバー２０のプラグ露呈用開口２０ｂを通して押し込む。すると、図示を省略するが、夫々が着脱操作姿勢の一対のアーム部３０が、夫々の後方側軸部３２及び前方側軸部３１が軸支用溝部４０の直線状経路部分４１を移動する形態で、ソケット本体１に対してソケット前後方向の前方側に相対移動する。そして、一対のアーム部３０夫々の後方側軸部３２が前方側転換用穴４４に入り込むと、それから先は、ソケット本体１に対する一対のアーム部３０のソケット前後方向前方側への相対移動が阻止されるので、ガスソケットＳをガスコンセントＣに押し込むことができ、上述のように、ワンタッチでソケット本体１がガス栓本体１１に装着されて、その装着状態でロックされる。
その際は、図２に示すように、平行姿勢の蓋体２の全体が壁材Ｗの表面から突出しているので、上述のようなガスソケットＳをガスコンセントＣに装着する操作が行い易い。
【００５６】
ガスコンセントＣに装着されているガスソケットＳを外すときは、上述のように、立ち姿勢の扉体２１を奥行方向の奥側へ押し込むと、装着状態でのロックが解除される。そして、平行姿勢の蓋体２を指で把持した形態（図２参照）で、ガスソケットＳを持って手前に引っ張る。すると、夫々が着脱操作姿勢の一対のアーム部３０が、夫々の後方側軸部３２及び前方側軸部３１が軸支用溝部４０の直線状経路部分４１を移動する形態で、ソケット本体１に対してソケット前後方向の後方側に相対移動する。そして、一対のアーム部３０夫々の前方側軸部３１が後方側転換用穴４５に入り込むと、それから先は、ソケット本体１に対する一対のアーム部３０のソケット前後方向後方側への相対移動が阻止されるので、ガスソケットＳをガスコンセントＣから抜いて外すことができる。
その際は、図２に示すように、平行姿勢の蓋体２の全体が壁材Ｗの表面から突出しているので、上述のようなガスソケットＳをガスコンセントＣから外す操作が行い易い。
【００５７】
ソケット本体１に蓋体２を装着するときは、蓋体２を蓋体回動軸心Ａ２周りで揺動させて直交姿勢にすると共に、一対のアーム部３０を、図５（ｄ）に示す着脱操作姿勢から、夫々の先端がソケット前後方向の前方側に移動するように揺動させる。すると、図５（ｃ）に示すように、一対のアーム部３０夫々の後方側軸部３２が軸支用溝部４０の回動支持用穴４３にて軸支されて、一対のアーム部３０夫々の前方側部３１が軸支用溝部４０の円弧状経路部分４２を通る形態で、一対のアーム部３０がアーム回動軸心Ａ１にてソケット前後方向の前方側に揺動する。
【００５８】
そして、図５（ｂ）に示すように、一対のアーム部３０夫々を蓋開閉操作姿勢（即ち、蓋体２を開閉操作位置に位置させた操作状態）にし、次いで、一対のアーム部３０をソケット本体１に対してソケット前後方向の後方側に移動させる。すると、図５（ａ）に示すように、一対のアーム部３０夫々の前方側軸部３１及び後方側軸部３２が軸支用溝部４０の直線状経路部分４１をソケット前後方向の後方側へ移動して、前方側軸部３１が回動支持用穴４３に、後方側軸部３２が後方側転換用穴４５に夫々入り込むと共に、蓋体２の小径部分２ａがソケット本体１の先端開口部１ａに内嵌されて、蓋体２がソケット本体１に装着される。
【００５９】
以下、図６〜図１０に基づいて、本発明の第２実施形態を説明するが、この第２実施形態は蓋体支持機構Ｍの別の実施形態を説明するものであり、蓋体支持機構Ｍ及びそれに関連する構成以外は上記の第１実施形態と同様である。従って、重複説明を避けるために、第１実施形態と同じ構成要素や同じ作用を有する構成要素については、同じ符号を付すことにより説明を省略して、主として、蓋体支持機構Ｍ及びそれに関連する構成について説明する。
【００６０】
この第２実施形態においても、上記の第１実施形態と同様に、蓋体支持機構Ｍが、ソケット本体１の外側面におけるソケット前後方向の中央よりも後方側に寄った位置にて、ソケット前後方向に直交するソケット径方向に沿うアーム回動軸心Ａ１周りで少なくとも半周以上にわたって回動自在に、基端部が支持されたアーム部３０を備えて構成され、蓋体２が、アーム部３０の先端部に支持されている。
そして、この第２実施形態では、アーム部３０の基端部が、ソケット径方向に沿うアーム回動軸心Ａ１にて、ソケット本体１に枢支され、蓋体２が、蓋体可動支持部５０により、アーム部３０の基端側に復帰付勢された状態で、アーム部３０のアーム長さ方向に沿って所定の蓋体可動距離の範囲で移動自在に、アーム部３０の先端部に支持されている。
【００６１】
又、上記の第１実施形態と同様に、アーム部３０が、ソケット本体１における左右方向（ソケット径方向に相当する）の両側に振り分けて、一対設けられ、蓋体可動支持部５０が、一対のアーム部３０夫々に対して設けられている。
【００６２】
次に、蓋体支持機構Ｍについて説明を加える。
各アーム部３０は、概ね、直線状に構成され、各アーム部３０の基端部に、枢支軸部３３が、アーム長さ方向に直交する方向で、ソケット径方向の内方側に突出する状態で設けられている。
又、各アーム部３０における枢支軸部３３の先端側に近づけて、姿勢保持用突起部３４が設けられている。
【００６３】
ソケット本体１の外側面におけるソケット前後方向の後方側に寄った位置において、ソケット側継手３を左右方向の中央にした平面視で、左右両側に対応する部分の夫々に、ソケット径方向内方側に凹む軸穴１ｂが設けられている。
そして、各アーム部３０が、夫々の枢支軸部３３がソケット本体１の軸穴１ｂに内嵌された状態で設けられて、各アーム部３０が、枢支軸部３３をアーム回動軸心Ａ１として、ソケット本体１に枢支されている。
【００６４】
又、ソケット本体１の外側面において、各軸穴１ｂの後方側には、各アーム部３０が、夫々の先端がソケット前後方向の後方を向く状態で、アーム長さ方向がソケット前後方向に沿う着脱操作姿勢（即ち、蓋体２を着脱操作位置に位置させた操作状態）になると、各アーム部３０の姿勢保持用突起部３４が係止されて各アーム部３０の姿勢を保持する姿勢保持用係止部１ｃが、ソケット径方向外方に突出する形態で設けられている。
更に、ソケット本体１の外側面において、各軸穴１ｂの前方側には、各アーム部３０が、その先端がソケット前後方向の前方を向く状態で、アーム長さ方向がソケット前後方向に沿う蓋開閉操作姿勢（即ち、蓋体２を開閉操作位置に位置させた操作状態）になるまで、各アーム部３０の姿勢保持用突起部３４が入り込んで各アーム部３０の揺動を許容する案内用溝部１ｄが設けられている。
【００６５】
従って、この第２実施形態でも、各アーム部３０が、蓋開閉操作姿勢になる位置と着脱操作姿勢になる位置との間の半周にわたって回動自在に、ソケット本体１に設けられていることになる。そして、一対のアーム部３０を蓋開閉操作姿勢にすると、蓋体２を開閉操作位置に位置させることができ、一対のアーム部３０を着脱操作姿勢にすると、蓋体２を着脱操作位置に位置させることができる。
尚、各案内用溝部１ｄは、ソケット側継手３の側とは反対側に延びる形態で設けられて、この第２実施形態でも、各アーム部３０が、ソケット本体１の側方において、ソケット側継手３が突出している側方とは反対側の側方にて半周にわたって回動自在なように、設けられている。
そして、各アーム部３０の姿勢保持用突起部３４とソケット本体１の姿勢保持用係止部１ｃとにより、各アーム部３０を着脱操作姿勢（即ち、蓋体２を着脱操作位置に位置させた操作状態）に保持する姿勢保持機構が構成される。
【００６６】
次に、蓋体可動支持部５０について説明を加える。
図９に示すように、一側面が開口され、その開口部に対向する底面にアーム挿通孔５１ａが形成された概略直方体形状の箱状のバネケース５１が、そのアーム挿通孔５１ａにアーム部３０の先端部を挿通させた形態で、各アーム部３０の先端部に設けられる。
又、各アーム部３０の先端に、アーム挿通孔５１ａよりも大径の鍔部３５が設けられ、その鍔部３５とバネケース５１の底面との間にコイルばね５２が圧縮状態で配設された状態で、バネケース５１の開口部が蓋体支持部材５３にて閉じられている。
これによって、各アーム部３０の先端部に、バネケース５１が、コイルばね５２により各アーム部３０の基端側に復帰付勢された状態で、アーム長手方向に沿って所定の蓋体可動距離の範囲で移動自在に設けられている。
【００６７】
各蓋体支持部材５３の外周部におけるソケット径方向の内方側の部分には、ソケット径方向の内方側に突出する枢支軸部５３ａが設けられている。
蓋体２は、第１実施形態と同様に、先端開口部１ａに内嵌可能な小径部分２ａと、その小径部分２ａよりも大径の大径部分２ｂとが同心状に並ぶ２段状に構成されている。
そして、蓋体２が、その大径部分２ｂの側部が、各アーム部３０の先端部に設けられた蓋体支持部材５３の枢支軸部５３ａにて軸支された状態で、一対のアーム部３０夫々の先端部に跨って支持されている。
【００６８】
従って、蓋体２が、その直径に沿う蓋体回動軸心Ａ２周りに回動自在に、且つ、各アーム部３０の基端側に復帰付勢された状態で、アーム長手方向に沿って所定の蓋体可動距離の範囲で移動自在に、一対のアーム部３０夫々の先端部に跨って支持されている。
つまり、蓋体可動支持部５０が、バネケース５１、コイルばね５２及び蓋体支持部材５３等を用いて構成されている。
【００６９】
そして、各アーム部３０の枢支軸部３３がソケット本体１の軸穴１ｂに内嵌された形態で、各アーム部３０がソケット本体１に枢支されていることにより、一対のアーム部３０を着脱操作姿勢にした状態では、ソケット前後方向でのソケット本体１と各アーム部３０との相対移動が阻止される。又、各アーム部３０と蓋体２とのアーム長さ方向での相対移動は、蓋体可動支持部５０により、所定の蓋体可動距離の範囲に制限されている。
つまり、蓋体支持機構Ｍが、蓋体２を着脱操作位置に位置させるように操作された状態において、ソケット前後方向でのソケット本体１と蓋体２との相対移動を制限するように構成されていることになる。
【００７０】
次に、図１０に基づいて、蓋体２をソケット本体１に装着したりソケット本体１から外したりする手順、及び、ガスソケットＳをガスコンセントＣに装着したりガスコンセントＣから外したりする手順について、説明する。
ソケット本体１に蓋体２が装着されている状態では、図１０（ａ）に示すように、一対のアーム部３０が、蓋開閉操作姿勢になった状態（即ち、蓋体２を開閉操作位置に位置させた操作状態）で、コイルばね５２の付勢力により、直交姿勢の蓋体２の小径部分２ａがソケット本体１の先端開口部１ａに内嵌されている。
【００７１】
蓋体２をソケット本体１から外して、ガスソケットＳをガスコンセントＣに装着するときは、図１０（ａ）に示す如く、蓋体２がソケット本体１に装着されている状態から、蓋体２をコイルばね５２の付勢力に抗してソケット前後方向の前方側（即ち、アーム長さ方向の前方側）に引っ張って、図１０（ｂ）に示すように、直交姿勢の蓋体２をソケット本体１の先端開口部１ａから外して、ソケット本体１の先端面から離間させる。
【００７２】
次いで、直交姿勢の蓋体２をソケット本体１の先端面から離間させるようにアーム長さ方向の前方側に引っ張った状態で、図１０（ｃ）に示すように、一対のアーム部３０夫々を、アーム回動軸心Ａ１にてソケット前後方向の後方側に揺動させる。尚、直交姿勢の蓋体２がソケット本体１の先端面から側方に移動した以降で、蓋体２をアーム長さ方向の前方側に引っ張るのを解除する。
【００７３】
そして、図１０（ｄ）に示すように、一対のアーム部３０夫々を着脱操作姿勢（即ち、蓋体２を着脱操作位置に位置させた操作状態）にすると、各アーム部３０の姿勢保持用突起部３４がソケット本体１の姿勢保持用係止部１ｃに係止されて、各アーム部３０が着脱操作姿勢に保持される。更に、直交姿勢の蓋体２を蓋体回動軸心Ａ２にて揺動させて平行姿勢にする。
【００７４】
そして、平行姿勢の蓋体２を指で把持した形態で、ガスソケットＳを持って、ソケット本体１を表カバー２０のプラグ露呈用開口２０ｂを通して押し込むと、ワンタッチでソケット本体１がガス栓本体１１に装着されて、その装着状態でロックされる。
その際は、図示を省略するが、平行姿勢の蓋体２の全体が壁材Ｗの表面から突出しているので、上述のようなガスソケットＳをガスコンセントＣに装着する操作が行い易い。
【００７５】
ガスコンセントＣに装着されているガスソケットＳを外すときは、上述のように、立ち姿勢の扉体２１を奥行方向の奥側へ押し込むと、装着状態でのロックが解除される。そして、平行姿勢の蓋体２を指で把持した形態で、ガスソケットＳを手前に引っ張ると、ガスソケットＳをガスコンセントＣから抜いて外すことができる。
その際は、図示を省略するが、平行姿勢の蓋体２の全体が壁材Ｗの表面から突出しているので、上述のようなガスソケットＳをガスコンセントＣから外す操作が行い易い。
【００７６】
ソケット本体１に蓋体２を装着するときは、蓋体２を蓋体回動軸心Ａ２周りで揺動させて直交姿勢にした状態で、一対のアーム部３０を、図１０（ｄ）に示す着脱操作姿勢から、夫々の先端がソケット前後方向の前方側に移動するように揺動させる。
蓋体２がソケット本体１の先端に近づくと、蓋体２をコイルばね５２の付勢力に抗してアーム長さ方向の前方側に引っ張って、蓋体２をソケット本体１の先端面から離間させた状態で、図１０（ｂ）に示すように、一対のアーム部３０夫々を、蓋開閉操作姿勢（即ち、蓋体２を開閉操作位置に位置させた操作状態）にし、次いで、蓋体２をアーム長さ方向の前方側に引っ張るのを解除すると、蓋体２がコイルばね５２の付勢力によりソケット前後方向の後方側に引っ張られて、図１０（ａ）に示すように、蓋体２の小径部分２ａがソケット本体１の先端開口部１ａに内嵌されて、蓋体２がソケット本体１に装着される。
【００７７】
〔別実施形態〕
次に別実施形態を説明する。
（イ）  上記の第１実施形態のように、蓋体支持機構Ｍを可動軸支部Ｎを備えて構成する場合、可動軸支部Ｎの構成は、上記の第１実施形態の構成、即ち、アーム部３０に設けられた前方側軸部３１及び後方側軸部３２と、ソケット本体１の外側面に設けられた半円状の経路の軸支用溝部４０とを備えた構成に限定されるものではない。
例えば、アーム部３０に１本の軸体を設け、ソケット本体１の外側面に、アーム部３０の軸体を挿入可能な軸支用溝部をソケット前後方向に沿わせて直線状に設けて、可動軸支部Ｎを、アーム部３０に設けられた１本の軸体と、ソケット本体１の外側面に設けられた直線状の軸支用溝部とを備えた構成としても良い。
この場合は、上記の第２実施形態のように、アーム部３０を着脱操作姿勢（即ち、蓋体２を着脱操作位置に位置させた操作状態）に保持する姿勢保持機構を設けるのが好ましい。
【００７８】
（ロ）  上記の第１実施形態では、軸支用溝部４０に、回動支持用穴４３、前方側転換用穴４４及び後方側転換用穴４５を設けたが、軸支用溝部４０に、回動支持用穴４３、前方側転換用穴４４及び後方側転換用穴４５を設けなくても良い。
【００７９】
（ハ）  蓋体支持機構Ｍをアーム部３０を備えて構成する場合、上記の第１及び第２の各実施形態では、アーム部３０を一対設けたが、アーム部３０を１本だけ設けても良い。
【００８０】
（ニ）  蓋体支持機構Ｍの具体構成は、上記の第１及び第２の各実施形態において例示した如き、アーム部３０を備えて構成する場合に限定されるものではない。
例えば、ソケット本体１の外側面に、蓋体２をソケット前後方向に沿って移動自在に案内する直線状のレールを設けて、そのレールを備えて、蓋体支持機構Ｍを構成しても良い。この場合、蓋体２を、レールの案内でソケット前後方向に沿って移動させることにより、開閉操作位置と着脱操作位置とに位置変更操作することになる。
【産業上の利用可能性】
【００８１】
以上説明したように、着脱操作が容易に行えながら、小型化を図り得るガスソケットを提供することができる。
【符号の説明】
【００８２】
１    ソケット本体
１ａ  先端開口部
２    蓋体
１１  ガス栓本体
１２  プラグ部
３０  アーム部
３１  前方側軸部
３２  後方側軸部
４０  軸支用溝部
４１  直線状経路部分（直径に対応する経路部分）
５０  蓋体可動支持部
Ａ１  アーム回転軸心（ソケット径方向に沿う軸心）
Ｍ    蓋体支持機構
Ｎ    可動軸支部
Ｓ    ガスソケット
【図１】
2015017676.tif 000003
【図２】
2015017676.tif 000004
【図３】
2015017676.tif 000005
【図４】
2015017676.tif 000006
【図５】
2015017676.tif 000007
【図６】
2015017676.tif 000008
【図７】
2015017676.tif 000009
【図８】
2015017676.tif 000010
【図９】
2015017676.tif 000011
【図１０】
2015017676.tif 000012
【図１１】
2015017676.tif 000013